(57)【要約】【課題】木材の原木より柱材や板材を採取した残余のはね木や間伐材を利用して、作成した木製ブロックを用いて家や塀等の建築工法により間伐材の利用を促進する。【解決手段】木材の原木より柱材若しくは板材を採取した残余のはね木や間伐材を利用して木製ブロック１を形成して、ブロックの両端面に縦に沿って凸部４或いは凹部５を設けた噛み合わせ部と、ブロックの上下両面にブロック上下の段状部６，６’若しくはブロックの上下に凹凸部７，８を設けた係合部により、壁の内側を外側より上方に傾斜させて雨水の侵入を防止して、ブロックの両側を支える支柱１３，１４にはブロックの噛み合わせ部に係合させる縦の係合用の支柱に設けた凹部９の２条溝を設けて、支柱間にブロック１を積み上げ２重壁面を構成する事が出来るようにした建築工法。【選択図】図１３
2004195656.tif 000002
【特許請求の範囲】
【請求項１】
木材の原木より柱材若しくは板材を採取した残余のはね木や間伐材等を利用して、ブロックの両端面に縦に沿って設けた噛み合わせ部と、ブロックの上下両面に係合部を備え、ブロックの両端を支持する支柱間に複数のブロックを積み重ねて上下のブロックが係合できるようにしてあることを特徴とする木製ブロック。
【請求項２】
木製ブロックにおいて、ブロック両端凸部又はブロック両端凹部を設け、ブロック上下の両面にブロック上下の段状部を設けたことを特徴とする請求項１に記載の木製ブロック。
【請求項３】
木製ブロックにおいて、ブロックの上下両面に備えるブロック上部の凸部並びにブロック下部の凹部を設けたことを特徴とする請求項１に記載の木製ブロック。
【請求項４】
木製ブロックの両端部を支持する支柱間に該木製ブロックを差し入れて積み上げて建築物の壁を２重に構成し、ブロックの上下両面備える係合部により雨水が外から内側へ入らないようにすると共に、ブロックの両側を支える支柱にはブロック両端の噛み合わせ部に係合させる縦の係合溝を２条設けて、支柱間に木製ブロック壁の内側の壁と外側の壁の２層の壁を構成し、内外の壁間に空間を設ける事が出来るようにしたことを特徴とする建築工法。
【発明の詳細な説明】
【０００１】
【発明の属する技術分野】本発明に係る木製ブロック及び建築工法は、木材の原木を製材して製作される柱材並びに板材を取った残余の木材（はね木）或いは使用価値の低い原木や板材を加工してブロックを製作し、この木製ブロックを用いて建物や塀等を作る建築工法に関するものである。
【０００２】
【従来の技術】間伐材は経済価値が低く、間伐材を木材や板材に加工した場合にはね木となるものは更に価値が低い等の理由から、間伐材が利用されないで、植林後に放置された山林の場合に地表面に日光が入らないために低木が発生せず、降雨により放置林の表土が流出して荒廃し水源涵養の役目が低下する原因にもなっている。このような原木の活用をすることが、林内の環境を良好にして水源涵養となり、木材の利用を活発に促すことになる。
【０００３】木製ブロックに関して、特開平０５−１６３７７１号、特開平０８ー１５８５０８号等の公開特許公報が発行されているものの、木製ブロックを用いた建築工法の分野では未知の事が多く建築工法として完成された分野であるとは言い難い。
【０００４】
【発明が解決しようとする課題】本発明は、木材の原木より柱材や板材を採取した残余の端切れ（以下はね木という）や間伐材等の原木を利用して、ブロックを作成し、木製ブロックを用いて家や塀等を構築する建築工法を提案し、この工法の普及により、はね木や間伐材の利用を促進しようとするものである。
【０００５】
【課題を解決するための手段】本発明に係る木製ブロック及び建築工法は、木材の原木より柱材若しくは板材を採取した残余のはね木や間伐材を利用して、木製ブロックを形成して、建築に利用するものである。木製ブロックは、ブロックの両端面に縦に沿って設けた噛み合わせ部と、ブロックの上下両面を係合部を設け、ブロックの上下両面に形成している係合部は、上下ブロックを重ねた場合に上下のブロックが係合して雨水に侵入を防止できるものである。このようにして木製ブロックをブロックの両端部を支持する支柱間に入れて積み上げて建築物の壁を構成した場合に、ブロックの係合部として上下両面に設けられる段状傾斜部或いは凹凸部は雨水が外から内側へ入らないように工夫してある。ブロックの両側を支える支柱にはブロックの噛み合わせ部に係合させる縦の係合溝を２条設けて、支柱間に内外２層の壁をブロックを積み上げて構成し、建築物の場合ブロック壁の内側の壁と外側の壁間に空間を設ける事が出来るようにした建築工法である。
【０００６】
【発明の実施の形態】本発明の技術的思想は、実施例において次に記載のように実現されている。
【０００７】木製ブロックは、間伐材等の木材の原木より製材された板材、或いは原木より製材された柱材若しくは板材を採取した残余のはね木を利用して、木製ブロックを形成する。
【０００８】木製ブロックの両端面に縦に沿って設けた噛み合わせ部と、ブロックの上下両面に係合部として、段状傾斜部又は凹凸部を設け、上下ブロックの合わせ目で、壁面に上下に組み合わせた木製ブロックの隙間から雨水の侵入を防止する。
【０００９】木製ブロックの両端面は、噛み合わせ部を設け、噛み合わせ部は凸状若しくは凹状に形成して、支柱に２条に設けた係合部の溝に直接に或いは溝に桟木を入れて係合できるようにした。
【００１０】建築工法としては、コンクリートに埋め込んだボルトで土台を固定し、土台にボルトで固定してある鉄板に支柱を立てて、支柱間にブロックの両端を差し入れて、支柱に形成した溝或いは溝に桟木をいれる等支柱を凸状にしてブロック両端部に噛み合わせて係合出来る。土台上に立てた支柱は一定間隔にして、その支柱間にブロックの両端部を噛み合わせてブロックを支柱間に挟み積み上げる。壁は外層と内層の木製ブロックを２重に構成し、両端に設けた噛み合わせ部を支柱に係合させるために、支柱には縦の係合部の溝を２条設けて、支柱間にブロックを積み上げると中に空間を有する２重壁を構成する事が出来るようにした。
【００１１】そのために支柱の側面には、縦に２条の係合部用の溝を設けた。角の支柱に直角に設ける溝と壁間の支柱の両側に設ける溝は方向が異なる。木製ブロックの両端の噛み合わせ部は支柱の係合部の溝に嵌合し、支柱の係合部と木製ブロックの噛み合わせ部の係合関係は、凹凸の係合関係に施工されることが好ましい。
【００１２】木製ブロックの隙間には、雨水の侵入防止のために或いは湿潤と乾燥により発生する伸縮吸収のためにパッキンをいれている。木製ブロックは、木材壁によって隔てた室内へ木材芳香の放出作用の促進と室内汚染空気の吸収による呼吸作用を可能ならしめる。所要の箇所には、ゴム或いは樹脂製の柔軟な材質のパッキンを介在させることも必要である。
【００１３】木製ブロックの表面には、竹材を割って、張り付けて竹材による装飾的効果を出すようにする事も出来る。この木製ブロックは、建築物の壁、塀の壁にも応用が出来る。
【００１４】
【実施例】添付図面は、本発明に係る木材ブロック及び建築工法の実施例について図示しているものである。図面に基づいて、実施例について詳細に説明する。
【００１５】
【実施例１】木製ブロック１の正面２の側に両端部に噛み合わせ部用のブロック両端凸部４を設け、ブロックの上下にはブロック上下の段状部６，６’を形成して、このブロックを数段に壁に積み上げた場合に、ブロックの外部から雨水が入らないように、ブロック上下の段状部６，６’を重ねて、両ブロック壁の外側が内側より低くなるように施工する。
【００１６】
【実施例２】木製ブロック１の両端部は縦に沿って設けた噛み合わせ部を凸状にブロック両端凸部４を形成した。ブロックの上下両面にはブロック上下の段状部６，６’を形成し、数段に積み上げて壁を構成した。このブロック壁の内側をその外側より上方に傾斜させて設け、壁面に上下に組み合わせた木製ブロックの隙間から雨水の侵入を防止する。
【００１７】
【実施例３】木製ブロックの両端部は、縦に沿って設けた噛み合わせ部を凸状にブロック両端凸部４を形成し、ブロックの上面は凸状にブロック上部の凸部７を形成し、下面には凹状に、ブロック下部凹部の溝を形成し、ブロック両側を支持するために支柱を立てて、両支柱間にこの実施例３の木製ブロックの壁になるように数段に積み上げた場合には、上のブロック下部の凹部８は下のブロック上部の凸部７に嵌合して雨水の侵入を防止するようにした。
【００１８】
【実施例４】木製ブロックの両端部は縦に沿って設けた噛み合わせ部を凹状にブロック両端凹部５を形成した。この木製ブロックの上下両面にはブロック上下の段状部６，６’に形成して、ブロック上下の段状部６，６’はその内側を外側より上方に段状に傾斜させて設け、更に木製ブロックの２重壁面に構成する。このために、両側の支柱間に上下に組み合わせた木製ブロックの隙間から雨水の侵入を防止する事が出来る。この木製ブロックの特徴は、ブロック両端の噛み合わせ部が凹状のブロック両端凹部５を形成してあるものであるので、この凹部に支柱を嵌合させるためには支柱１３，角支柱１４に縦に凸状の係合部を設けることが必要である。例えば、支柱に設けた凹部９は縦の凹状の溝であるからこれに桟を入れて、支柱１３，角支柱１４に凸状の桟木を形成する場合や、支柱に直接縦に凸状部を形成する場合があると考えられる。
【００１９】
【実施例５】施工法の実施例である。木製ブロックを土台に直立した両側の支柱間に複数積み上げて、２重壁面に構成し、ブロック上下の段状部６，６’を上下合わせて、２重壁のブロックを組み合わせた場合に、室内へ雨水の侵入を防止するようブロックの形状を工夫した。この木製ブロック１を用いた建築工法としては、コンクリートに埋め込んだボルトで支柱１３，角支柱１４を立てる土台１２をコンクリートに固定し、土台１２に支柱１３，角支柱１４を立てるために土台に穴溶接で支柱支持金具（鉄板）１０，角支柱支持金具１１を固定し、この鉄板に支柱１３，１４をボルトで固定してある。ブロックの両端を支柱に噛み合わせる場合に、一定間隔の支柱間にブロックの両端を挟み、ブロックを積み上げる。予め支柱には縦に係合部用の支柱に設けた凹部９の溝が設けられており、木製ブロックの両端に設けた噛み合わせ部のブロック両端凸部４を支柱に設けた凹部９に係合させる。このようにして支柱間にブロックを積み上げ２重壁面を構成する事が出来るようにした。
【００２０】更に２重壁にするために、支柱の側面に縦に二条の支柱に設けた凹部９を設け、これを係合部にすることにより、建物の内側と外側に木製ブロックを積み上げる事が出来る。建物の角支柱１４には、直角に前記の係合部を設け、壁間の支柱１３にはその両側に同じ係合部を設ける。それぞれの支柱に設けた凹部９は、これらの係合部の方向が異なる。木製ブロック１の両端の噛み合わせ部は、そのブロック両端凸部４が、係合用に支柱に設けた凹部９に嵌合している。支柱の係合部と木製ブロックの噛み合わせ部の係合関係は、凹凸の係合関係になされることが好ましい。特殊な場合として、図２３に角の支柱１４を挟んで壁の隅を形成する場合を図示したように、角支柱１４の係合部に設けた凹部９の溝が形成されている場合に、これに桟木を入れて桟木の凸部を木製ブロック１のブロック端面凹部５に嵌合するようにしてもよい。
【００２１】木製ブロックの隙間には、雨水の深入防止のために或いは湿潤と乾燥により発生する伸縮吸収のために柔軟性素材を挟み入れる。又木材壁によって隔てた室内へ木材芳香の放出作用と室内空気の汚染の吸収による呼吸作用を可能ならしめる。このために、所要の箇所にゴム或いは樹脂製の柔軟な材質によるパッキンを介在させることも必要である。
【００２２】木製ブロックの表面には、竹材を割って、張り付けて竹材による壁や塀の装飾的効果を高めるようにする事も出来る。
【００２３】
【発明の効果】本発明の効果は、請求項１乃至請求項４の各項に記載の構成により次に記載の効果を奏するものである。
【００２４】本発明は、木製ブロックを建築物の２重壁として構成するものであり、木製ブロックは夏季と冬季の湿潤、温度差、にも十分伸縮を吸収して対応出来る。木製ブロックは壁面に構成された場合、ブロックの表面積が大きくなるので、室内へ木製ブロックが有する芳香性物質を多量に放出し、室内の汚れた空気を露出した木質部で呼吸して吸着し無害化する事が出来る。
【００２５】本発明に係る木製ブロック及び建築工法は、経済価値の低い間伐材、はね木等の利用を促進することになる。これらの木材を利用することにより、室内空気汚染に対して抵抗力が低い子供の部屋、老人の部屋、乾燥と湿潤との調整が可能な保温効果のよい室内を提供することが出来る。
【図面の簡単な説明】
【図１】原木より木製ブロックの材料を取り出す木口を示す正面図
【図２】実施例１のブロックの材料より製作された木製ブロックの木口を示す正面図
【図３】実施例１の木製ブロックの正面図
【図４】実施例１の木製ブロックの斜視図
【図５】実施例２のブロックの材料より製作された木製ブロックの木口を示す正面図
【図６】実施例２の木製ブロックの正面図
【図７】実施例２の木製ブロックの斜視図
【図８】実施例３のブロックの材料より製作された木製ブロックの木口を示す正面図
【図９】実施例３の木製ブロックの正面図
【図１０】実施例３の木製ブロックの斜視図
【図１１】実施例４の木製ブロックの正面図
【図１２】実施例４の木製ブロックの斜視図
【図１３】土台上の支柱に係合して木製ブロックを積み上げた二重壁の段状防水構造を示す一部断面図
【図１４】土台上の支柱に係合して積み上げた外側木製ブロックと内側板材ブロックによる二重壁の段状防水構造を示す一部断面図
【図１５】土台上の支柱に係合して積み上げた外側木製ブロックと内側板材ブロックの段状防水構造を示す一部断面図
【図１６】コンクリート上に設置される土台に設けた支柱取り付け鉄板及び土台平面を示す展開図
【図１７】建物隅の土台に支柱を設けるための取り付け鉄板を示す斜視図
【図１８】土台と支柱と梁を示す建物の側面図
【図１９】土台と支柱と梁を示す建物の正面図
【図２０】木製ブロックを取り付けた壁の状態を示す建物の側面図
【図２１】木製ブロック（板材ブロック）と支柱との係合状態を示す断面図
【図２２】木製ブロック（板材ブロック）と角支柱との係合状態を示す断面図
【図２３】木製ブロック（板材ブロック）と角支柱との間に桟木をいれてある両者の係合状態を示す断面図
【符号の説明】
１．．．木製ブロック
２．．．木製ブロック正面
３．．．木製ブロック凸面
４．．．ブロック両端凸部
５．．．ブロック両端凹部
６．．．ブロック上下の段状部
７．．．ブロック上部の凸部
８．．．ブロック下部の凹部
９．．．支柱に設けた凹部
１０．．．支柱支持金具
１１．．．支柱支持金具（角）
１２．．．土台
１３．．．支柱
１４．．．角支柱
１５．．．梁
１６．．．たる木
１７．．．木材
１８．．．柱
１９．．．はね木
２０．．．板製ブロック
【図１】
2004195656.tif 000003
【図２】
2004195656.tif 000004
【図３】
2004195656.tif 000005
【図４】
2004195656.tif 000006
【図５】
2004195656.tif 000007
【図６】
2004195656.tif 000008
【図７】
2004195656.tif 000009
【図８】
2004195656.tif 000010
【図９】
2004195656.tif 000011
【図１０】
2004195656.tif 000012
【図１１】
2004195656.tif 000013
【図１２】
2004195656.tif 000014
【図１３】
2004195656.tif 000015
【図１４】
2004195656.tif 000016
【図１５】
2004195656.tif 000017
【図１６】
2004195656.tif 000018
【図１７】
2004195656.tif 000019
【図１８】
2004195656.tif 000020
【図１９】
2004195656.tif 000021
【図２０】
2004195656.tif 000022
【図２１】
2004195656.tif 000023
【図２２】
2004195656.tif 000024
【図２３】
2004195656.tif 000025